(57)【要約】【課題】部品精度の安定化、生産性の向上と低コストを実現するとともに、光ディスクへ傷をつけることがない光ピックアップ装置および光記録再生装置を提供する【解決手段】レーザー光を用いて光ディスク６０の情報の再生または、記録を行なう光ピックアップ装置において、光ピックアップの外部を覆う筐体であり、少なくとも、光ディスク６０を装着時に光ディスク６０と対向する面に開口部が形成されているハウジング１０と、ハウジング１０における開口部の形成面を保護する保護カバー１１とを有し、保護カバー１１が、ハウジング１０と一体形成されている。【選択図】図１
2008027529.tif 000002
【特許請求の範囲】
【請求項１】
レーザー光を用いて光情報記録媒体の情報の再生または、記録を行なう光ピックアップ装置において、
該光ピックアップの外部を覆う筐体であり、少なくとも、上記光情報記録媒体を装着時に上記光情報記録媒体と対向する面に開口部が形成されているハウジングと、
上記ハウジングにおける上記開口部の形成面を保護する保護カバーとを有し、
上記保護カバーが、上記ハウジングと一体形成されていることを特徴とする光ピックアップ装置。
【請求項２】
上記保護カバーが、当該保護カバーの上記光情報記録媒体と対向する面に、上記光情報記録媒体と上記保護カバーとの衝突を防ぐための凸形状を有していることを特徴とする請求項１に記載の光ピックアップ装置。
【請求項３】
上記凸形状の先端が、曲面状に面取りをされた形状であることを特徴とする請求項１に記載の光ピックアップ装置。
【請求項４】
上記凸形状が、光ピックアップ装置の配線基板を貫通し、上記配線基板の位置決め部材として兼用されることを特徴とする請求項３に記載の光ピックアップ装置。
【請求項５】
上記凸形状が、光ピックアップ装置の対物レンズの外周全体に形成されることを特徴とする請求項１に記載の光ピックアップ装置。
【請求項６】
上記保護カバーの上にさらに化粧板を形成し、
上記化粧板は、上記凸形状の先端よりも低い位置に設けられることを特徴とする請求項１に記載の光ピックアップ装置。
【請求項７】
上記保護カバーが、光ピックアップ装置のレンズ駆動部を設ける領域をまたいで上記ハウジングに形成されることを特徴とする請求項１に記載の光ピックアップ装置。
【請求項８】
上記保護カバーが、接着剤注入穴を有し、光ピックアップ装置のレンズ駆動部を接着固定することを特徴とする請求項１に記載の光ピックアップ装置。
【請求項９】
上記保護カバーが、接着剤注入穴と、光ピックアップ装置のレンズ駆動部を接着固定する接着剤溜り部を有し、上記レンズ駆動部を接着固定することを特徴とする請求項１に記載の光ピックアップ装置。
【請求項１０】
上記ハウジングおよび上記保護カバーが樹脂によって一体形成されることを特徴とする請求項１〜９のいずれか１項に記載の光ピックアップ装置。
【請求項１１】
請求項１〜１０のいずれか１項に記載の光ピックアップ装置を備えることを特徴とする光記録再生装置。
【発明の詳細な説明】
【技術分野】
【０００１】
本発明は、光ディスク等の光情報記録媒体への光学的な情報の記録および／または再生に用いられる光ピックアップ装置および該光ピックアップ装置を搭載した光記録再生装置に関するものである。
【背景技術】
【０００２】
従来から、光ディスク等の光情報記録媒体を用いた情報の記録および／または再生には、光ピックアップ装置が使用されている。光ピックアップ装置を用いた情報の記録および／または再生は、例えばレーザー光源から出射された光ビームを、対物レンズで集光させ光ディスクの記録面または再生面に照射し、この記録面または再生面からの反射光を検出することによりおこなわれている。
【０００３】
この際に、光ディスクの反りや、光ピックアップ装置の不具合により、対物レンズと光ディスクの衝突を防ぐための機構として、保護部材を取り付けることが知られている。
【０００４】
また、レンズホルダやレンズ駆動部（アクチュエータユニット）の機構を保護する目的や、汚染を防ぐ目的のために、レンズホルダの周辺に保護カバー（アクチュエータカバー）を形成する構成が多く知られている。
【０００５】
図９〜１１を用いて、従来の光ピックアップ装置の構成について説明する。従来の光ピックアップ装置の構成としては、ＤＶＤ用レーザー光源ユニット１４０とＣＤ用レーザー光源ユニット１５０を搭載したスリムコンボピックアップ装置を想定している。
【０００６】
図９は、従来の光ピックアップ装置の構成を示す図である。図９では、光情報記録媒体の光ディスク１６０（図１０参照）に記録再生をおこなう一般的なスリムコンボピックアップ装置の構成と、ハウジング１１０と、アクチュエータユニット１２０と、アクチュエータユニット１２０を保護する保護カバー１３０と、についての一例を示している。また、図９（ａ）は光ピックアップ装置の平面図であり、図９（ｂ）は裏面図である。また図１０は、図９（ａ）に示すアクチュエータユニット１２０のＦ−Ｆ’での断面を示す断面図であり、光ディスク１６０と対物レンズ１２１、レンズプロテクター１２７、保護カバー１３０の構成をフォーカス方向で見やすく示している。また図１１は、アクチュエータユニット１２０についての詳細な図面であり、平面図（図１１（ａ））と、図１１（ａ）の側面を示す側面図（図１１（ｂ））である。
【０００７】
上記スリムコンボピックアップ装置では、各レーザー光源ユニット１４０，１５０から照射されたレーザー光を、専用の光学部品を経由した後、立上げミラー１４５でレーザー光の光軸の方向を光ディスク１６０の記録面に照射する方向に変更し、対物レンズ１２１を用いて光ディスク１６０に集光させて、ディスク情報の読み書きを実施する構成としている。
【０００８】
次に、図１０および図１１を用いて光学ピックアップ装置のアクチュエータユニット１２０を説明する。
【０００９】
対物レンズ１２１を具備したレンズホルダ１２２をラジアル方向にシフトさせるための機構として、トラッキングコイルマグネット（図示せず）で磁気回路を形成する。またフォーカス方向にシフトさせるための機構として、フォーカスコイルマグネット（図示せず）で磁気回路を形成する。
【００１０】
レンズホルダ１２２は、アクチュエータベース１２６から細いワイヤー１２５で吊り上げられ、アクチュエータユニット１２０として形成される。アクチュエータユニット１２０は図７のハウジング１１０に固定される。
【００１１】
ここで、たとえば特許文献１では、近年の薄型のノートパソコンでの光ディスク１６０への書き込みの場合について、特に市販されている面振れの大きい光ディスクを使用する場合についての保護カバー１３０と光ディスク１６０の衝突問題を改善する提案が報告されている。
【００１２】
上記特許文献１では、ハウジング１１０とは別物の保護カバー１３０を取り付け、その保護カバー１３０と光ディスク１６０とが対向する面に凸部を設ける構成となっているため、部品精度を高く維持する必要があり、また別部材を取り付けるため、材料費と作業費が発生することになる。また従来のカバー材としては、薄板の板金ものや、薄肉の成形樹脂が用いられることが多いが、強度が不足するという懸念があった。
【００１３】
また、アクチュエータユニット１２０に別に構成した保護カバー１３０を取り付け、機構を保護と防塵の機能を果たす先行技術が特許文献２に報告されている。
【００１４】
さらに特許文献３では、光ディスク１６０と対向する保護カバー１３０の表面に曲面部を設け、孔内に乱気流が流入しづらくすることによって、空気中に浮遊する粉塵を寄せ付けない構造について報告されている。
【特許文献１】特開２００５−２５１２４６号公報（平成１７年（２００５年）９月１５日公開）
【特許文献２】実開昭６２−１４２７２０号公報（昭和６２年（１９８７年）９月９日公開）
【特許文献３】実開平３−２８５３１号公報（平成３年（１９９１年）３月２２日公開）
【発明の開示】
【発明が解決しようとする課題】
【００１５】
しかしながら、上記従来の光ピックアップ装置および光記録再生装置では、部品精度の安定化、生産性の向上と低コストを実現するとともに、光ディスクへ傷をつけることがない光ピックアップ装置および光記録再生装置を提供することが難しいという問題点を有している。
【００１６】
より具体的には、以下に示すような問題が発生する。
【００１７】
上記の特許文献１〜３を含む従来の光ディスク１６０と対物レンズ１２１の衝突防止機構の構成は、レンズホルダ１２２の対物レンズ１２１近傍に、保護カバー１３０もしくは凸状のレンズプロテクター１２７を形成することによって実現されている。
【００１８】
レンズプロテクター１２７は、対物レンズ１２１のフォーカス方向への駆動時には光ディスク１６０との衝突を防ぐ機構として機能を果たすことができる。
【００１９】
しかしながら、レンズプロテクター１２７は、光ピックアップ装置の非駆動時や、生産や、組み立てをおこなう途上では、アクチュエータユニット１２０を保護するために機能することはない。
【００２０】
このため、上記の状態でアクチュエータユニット１２０を保護するためには、保護カバー１３０をハウジング１１０に組み込む必要があった。
【００２１】
特許文献２では、ハウジング１１０と保護カバー１３０の位置決めの精度を向上させるための嵌合方法について開示しているが、いずれにせよ保護カバー１３０をハウジング１１０に組み込むためには、別に構成した保護カバー１３０を取り付ける必要があった。このため、部品コストの上昇、取り付け作業コストの上昇、部品精度の確保、および強度確保において問題があった。
【００２２】
本発明は、上記の問題点に鑑みてなされたものであり、その目的は、部品精度の安定化、生産性の向上と低コストを実現するとともに、光ディスクへ傷をつけることがない光ピックアップ装置および光記録再生装置を提供することにある。
【課題を解決するための手段】
【００２３】
本発明の光ピックアップ装置は、上記課題を解決するために、レーザー光を用いて光情報記録媒体の情報の再生または、記録を行なう光ピックアップ装置において、該光ピックアップの外部を覆う筐体であり、少なくとも、上記光情報記録媒体を装着時に上記光情報記録媒体と対向する面に開口部が形成されているハウジングと、上記ハウジングにおける上記開口部の形成面を保護する保護カバーとを有し、上記保護カバーが、上記ハウジングと一体形成されていることを特徴としている。
【００２４】
上記の発明によれば、上記保護カバーが、上記ハウジングと一体形成されているので、部品精度の安定化、生産性の向上と低コストを実現することができる。また、保護カバーとハウジングのつなぎ目がなくなり、つなぎ目部分の外形を曲面とすることが可能であり、上記光情報記録媒体へ傷をつけにくくなる。
【００２５】
また、本発明の光ピックアップ装置では、上記保護カバーが、当該保護カバーの上記光情報記録媒体と対向する面に、上記光情報記録媒体と上記保護カバーとの衝突を防ぐための凸形状を有していることが好ましく、上記凸形状が、光ピックアップ装置の対物レンズの外周全体に形成されることが好ましい。
【００２６】
これにより、面触れの大きい上記光情報記録媒体の情報を記録または再生しているときに振動や衝撃があったとしても、上記光情報記録媒体は保護カバーのコーナーや面に衝突する前に凸形状に接触するので、上記光情報記録媒体が保護カバーに衝突することが防がれ、上記光情報記録媒体に傷がついて情報が失われることが防がれる。
【００２７】
また、本発明の光ピックアップ装置では、上記凸形状の先端が、曲面状に面取りをされた形状であることが好ましい。
【００２８】
これにより、凸形状と上記光情報記録媒体とが接触する面が曲面となるため、接触時の光ディスクへのダメージをより小さくすることができる。
【００２９】
また、本発明の光ピックアップ装置では、上記凸形状が、光ピックアップ装置の配線基板を貫通し、上記配線基板の位置決め部材として兼用される。
【００３０】
また、本発明の光ピックアップ装置では、上記保護カバーの上にさらに化粧板を形成し、上記化粧板は、上記凸形状の先端よりも低い位置に設けられることができる。
【００３１】
また、本発明の光ピックアップ装置では、上記保護カバーが、光ピックアップ装置のレンズ駆動部を設ける領域をまたいで上記ハウジングに形成されることが好ましい。
【００３２】
これにより、上記保護カバーが、上記レンズ駆動部を設ける領域をまたいで形成されるため、ハウジング全体の強度を向上させることができる。
【００３３】
また、本発明の光ピックアップ装置では、上記保護カバーが、接着剤注入穴を有し、光ピックアップ装置のレンズ駆動部を接着固定することが好ましく、上記保護カバーが、接着剤を通す穴と、上記レンズ駆動部を接着固定する接着剤溜り部を有し、上記レンズ駆動部を接着固定することができる。
【００３４】
また、本発明の光ピックアップ装置では、上記ハウジングおよび上記保護カバーが樹脂によって一体形成されることが好ましい。
【００３５】
これにより、ハウジングの材料に汎用の金属代替樹脂を用いることができ、成型によって簡易に製造することができる。
【００３６】
本発明の光記録再生装置は、上記課題を解決するために、上記の光ピックアップ装置を備えることを特徴としている。
【００３７】
上記の発明によれば、保護カバーが、ハウジングと一体形成されているので、部品精度の安定化、生産性の向上と低コストを実現する光記録再生装置を製造することができる。また、保護カバーとハウジングのつなぎ目がなくなるので、光ディスクへ傷をつけることがない光記録再生装置を製造することができる。
【発明の効果】
【００３８】
本発明の光ピックアップ装置は、以上のように、レーザー光を用いて光情報記録媒体の情報の再生または、記録を行なう光ピックアップ装置において、該光ピックアップの外部を覆う筐体であり、少なくとも、上記光情報記録媒体を装着時に上記光情報記録媒体と対向する面に開口部が形成されているハウジングと、上記ハウジングにおける上記開口部の形成面を保護する保護カバーとを有し、上記保護カバーが、上記ハウジングと一体形成されている。
【００３９】
それゆえ、部品精度の安定化、生産性の向上と低コストを実現するとともに、光ディスクへ傷をつけることがない光ピックアップ装置を提供することができるという効果を奏する。
【００４０】
また、本発明の光記録再生装置は、以上のように、上記の光ピックアップ装置を備えている。
【００４１】
それゆえ、部品精度の安定化、生産性の向上と低コストを実現するとともに、光ディスクへ傷をつけることがない光記録再生装置を提供することができるという効果を奏する。
【発明を実施するための最良の形態】
【００４２】
本発明を実施するための最良の形態について、図１〜図８に基づいて説明すれば、以下の通りである。
【００４３】
図１は、本実施の形態における光ピックアップ装置の平面図（図１（ａ））と、裏面図（図１（ｂ））と、図１（ａ）のＡ−Ａ’での断面を示す断面図（図１（ｃ））である。また図１（ｄ）は、図１（ａ）のＡ−Ａ’での断面を示す別の例の断面図である。本発明の光ピックアップ装置では、図１（ｃ）および図１（ｄ）に示すようにハウジング１０と保護カバー部１１とが一体形成されていることが特徴となっている。
【００４４】
裏面を示す図１（ｂ）は、本考案のハウジング１０を判りやすくするため、アクチュエータユニット２０を取り外した図としている。
【００４５】
尚、アクチュエータユニット２０の構成に関しては、本発明では特に限定はしないため、従来のアクチュエータユニットと同等のユニットを用いることを想定している。具体例として、図２にアクチュエータユニット２０を図示する。図２（ａ）はアクチュエータユニット２０の平面図であり、図２（ｂ）はアクチュエータユニット２０の側面図である。
【００４６】
アクチュエータユニット２０は、図２に示すように対物レンズ２１を具備したレンズホルダ２２をラジアル方向にシフトさせるための機構として、トラッキングコイルマグネット（図示せず）で磁気回路を形成しており、またフォーカス方向にシフトさせるための機構として、フォーカスコイルマグネット（図示せず）で磁気回路を形成している。
【００４７】
レンズホルダ２２は、アクチュエータベース２６から細いワイヤー２５で吊り上げられ、アクチュエータユニット２０として形成される。アクチュエータユニット２０は図１のハウジング１０に固定される。レンズホルダ２２は、レンズを保護するプロテクター２７を備えている。
【００４８】
図１に示すハウジング１０は、保護カバー部１１と一体形成されている。保護カバー部１１をハウジング１０と一体形成することによって、アクチュエータユニット２０を保護することと、対物レンズ２１が光ディスク６０に衝突することとを防止することのみならず、保護カバー部１１はもとよりハウジング全体の強度アップをおこなうことが可能となる。
【００４９】
さらに保護カバー部１１とハウジング１０が一体形成されるため、保護カバー部１１とハウジング１０のつなぎ目をなくすことが可能となる。また、図１（ｄ）のように、保護カバー部１１とハウジング１０のつなぎ目部分の外形を曲面とすることにより光ディスク６０へ傷をつける恐れが少なくなるという効果も生じる。
【００５０】
さらに保護カバー部１１とハウジング１０とを組み立てる必要がないため、安定した部品精度で生産でき、生産性の向上と低コストを実現することができる。
【００５１】
また、従来の方法では、保護カバー部１１を固定する為の固定手段等を形成するためにアクチュエータユニット２０の挿入開口部を大きく開ける必要があった。
【００５２】
本実施の形態では、アクチュエータ挿入穴部分の保護カバー部１１とハウジング１０とを一体形成することが特徴である。図３は、本実施の形態における光ピックアップ装置のアクチュエータ搭載部分の表面を拡大した図であり、平面図（図３（ａ））と、図３（ａ）のＢ−Ｂ’での断面を示す断面図（図３（ｂ））である。アクチュエータユニット２０は、アクチュエータユニット２０の上からハウジング１０をかぶせる、もしくはアクチュエータユニット２０をハウジング１０の下面より挿入し、位置を調整して固定される。
【００５３】
つまり、本実施の形態の方法では保護カバー部１１を固定する為の固定手段等を形成する必要がなく、アクチュエータユニット２０の挿入開口部を大きく開ける必要がない。即ち、ハウジング１０の強度を向上することが可能である。
【００５４】
また上記ではアクチュエータユニット２０の保護カバー部１１をハウジング１０と一体形成することについて記載したが、図３（ａ）に示すように、保護カバー部１１の面に凸部１２，１３および１４をさらに形成することも可能である。
【００５５】
このように凸部１２，１３および１４を設けることにより、特許文献１と同様に光ディスク６０との干渉やキズ防止を図ることができる。しかも本実施例の方法では、一体形成によって上記構造を作成するため、特許文献１で想定されるような組み立て工程における問題点は発生しない。即ち、特許文献１の方法では、ハウジングと保護カバー部の部品精度の追い込みや、別部材取り付けのための材料費と作業費が発生することが起こる。さらに、ハウジングに保護カバーを固定する為の固定手段（フック部等）を形成する必要性や、上記固定手段等を形成するためにアクチュエータユニットの挿入開口部が大きくなり、ハウジングの強度を確保するために他の手段を講じる必要があった点などについて考慮する必要性がある。しかしながら本実施の形態による製造工程ではそれらについては考慮する必要がない。
【００５６】
また上記の保護カバー部１１上の凸部を、光ピックアップ装置の平面図である図４（ａ）および図４（ａ）のＣ−Ｃ’での断面を示す断面図（図４（ｂ））に示すように半球状に外周コーナー付近に４箇所（１２，１３，１４，１５）形成してもよい。
【００５７】
図２で説明したように、アクチュエータユニット２０は、光ディスク６０の情報を伝達するため、および光ディスク６０のフォーカス、トラック方向へサーボコントロールするために、磁気回路などを形成する必要があり、ドライブ回路基板（ＦＰＣ基板：Flexible Printed Circuit）を形成している。ドライブ回路基板は、接点部分２８、２９でドライブ回路に中継している。
【００５８】
本実施の形態では、ハウジング１０の保護カバー部１１に設けた凸部の形状をピン形状（円柱状）とすることによって、アクチュエータユニット２０をコントロールするために用いられているドライブ回路基板との接点部分２８，２９の位置を決めるための部材として兼用する構成としてもよい。上記の構成では、例えば図４（ａ）に設けられた凸部１２，１３が、ドライブ回路基板に設けられた穴を貫通し、ドライブ回路基板との接点部分２８，２９の位置を設定している。
【００５９】
さらに保護カバー部１１の凸部を、図５に示すように凸部１６として全周にわたって繋がった形状としてもよい。
【００６０】
尚、凸部１２〜１６の先端の形状は、特に指定しないが、角のない曲面上の形状であることが好ましい。
【００６１】
また、アクチュエータユニット２０は、ハウジング１０に対する位置を調整後、ハウジング１０に接着固定される。アクチュエータユニット２０の平面図（図６（ａ））と、図６（ａ）のＤ−Ｄ’での断面を示す断面図（図６（ｂ））に記載するように、アクチュエータユニット２０をハウジング１０に接着するための接着剤を注入する箇所として、接着剤注入穴１７を保護カバー部１１に設けてもよい。
【００６２】
また、図６の別の断面Ｄ−Ｄ’図である図６（ｃ）に示すように、接着剤注入穴１７に接着剤が保持できるような構造として接着剤溜り部１８を設けてもよい。
【００６３】
またハウジング１０の材料は金属に限らず、樹脂を用いて形成してもよい。ハウジング１０の材料に汎用の金属代替樹脂を用いることにより、成型によって簡易に製造することができる。
【００６４】
たとえば、金属代替樹脂として知られる、ポリフェニレンサルファイド樹脂（ＰＰＳ：polyphenylensulfid）が使用可能であり、さまざまなフィラーを配合することにより、強度や熱伝導性の要求条件を満たすことができる。
【００６５】
以上のように、本発明の光ピックアップ装置および光記録再生装置は、アクチュエータユニット２０の保護カバー部１１とハウジング１０を一体形成したことを特徴としている。
【００６６】
従って、アクチュエータユニット２０の保護カバー部１１がハウジング１０と同一部品形態となり、部品精度の安定化、生産性の向上と低コストを実現することができる。即ち、部品精度は金型の精度にのみ依存し、嵌合によるバラツキは発生しない。
【００６７】
更に、保護カバー部１１がハウジング１０と一体成形されるため、ハウジング全体の強度アップにも繋がる。また、保護カバー部１１とハウジング１０のつなぎ目をなくすことが可能であるので、光ディスク６０へ傷をつけることなく、情報の記録、再生、または、消去ができる光ピックアップ装置および光記録再生装置を提供することができる。
【００６８】
また、金型によって保護カバー部１１とハウジング１０とが一体形成されるので、特許文献３のような構造を本考案でも形成することが可能である。また図１（ｃ）の形状を図７のように構成し、形状形成をさらに発展させて対物レンズの可動範囲（フォーカス方向）の頂点を円錐（半球）の頂点とするように形成することも可能である。保護カバー部１１とハウジング１０とが、円錐（半球）状に形成されるため、光ディスク６０と干渉しても、光ディスク６０を傷つける可能性が低減される。
【００６９】
つまり、一体形成することによって、ハウジングと保護カバー部の双方の強度アップを図ることができるとともに、ＶＥ効果（value engineering効果）を大きく見込むことができる。即ち、保護カバー部の部品コストの削減、保護カバーの金型形成にかかる費用の削減および取り付け作業工数の削減とそれにかかる費用の削減を見込むことができる。
【００７０】
また、上記のように保護カバー部１１とハウジング１０とが一体形成された後に、図８のように保護カバー部１１の上に化粧板１９を構成してもよい。図８は、図３の構成にさらに化粧板１９を設けた構成について示した図であり、光ピックアップ装置の平面図（図８（ａ））、図８（ａ）のＥ−Ｅ’での断面を示す断面図（図８（ｂ））および化粧板１９の平面図（図８（ｃ））である。
【００７１】
化粧板１９の材質については特に指定はしないが、上記凸部１２〜１４等よりも低い位置に形成されるようにする。化粧板１９には、予め形成した凸部１２〜１４が貫通する穴を設けて保護カバー部１１上に形成されるようにすればよい。また、固定の方法は特に指定しないが、上記凸部１２〜１４への圧入、両面テープでの固定、接着固定、化粧板とハウジングにフックを設けて嵌合する、ビス締め等の方法を用いることができる。また単に化粧板１９を粘着テープ付きのシートとして形成してもよい。
【００７２】
上記のように、化粧板１９は上記光ピックアップ装置の強度部品とは別に構成することができるため、ハウジング１０と一体成形される保護カバー部１１とは色目の異なる部材で形成し、デザイン上の美観を向上させることが可能である。
【００７３】
尚、化粧板１９は図４に示す構成に形成することも可能であるし、図５に示す構成に形成することも可能である。
【００７４】
なお、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００７５】
本発明の光ピックアップ装置は、光ディスク等の記録媒体への光学的な情報の記録および／または再生をおこなう光記録再生装置、ＤＶＤレコーダ、ＴＶ／ビデオ複合機等に好適に用いることができる。従って、本発明に係る光ピックアップ装置は、家庭から工業設備にいたる様々な電子機器または電気製品の分野に好適に用いることができる。
【図面の簡単な説明】
【００７６】
【図１】本発明における光ピックアップ装置の実施の一形態を示す図であり、（ａ）は光ピックアップ装置の平面図であり、（ｂ）は裏面図である。また（ｃ）は、（ａ）のＡ−Ａ’での断面を示す断面図であり、（ｄ）は、（ａ）のＡ−Ａ’での別の実施例での断面を示す断面図である。
【図２】本発明における光ピックアップ装置の実施の一形態を示す図であり、（ａ）はアクチュエータユニットの平面図であり、（ｂ）はアクチュエータユニットの側面図である。
【図３】本発明における光ピックアップ装置のアクチュエータユニット搭載部分を拡大した図であり、（ａ）はアクチュエータユニットの平面図であり、（ｂ）は、（ａ）のＢ−Ｂ’での断面を示す断面図である。
【図４】本発明における光ピックアップ装置の別のアクチュエータユニット搭載部分を拡大した図であり、（ａ）はアクチュエータユニットの平面図であり、（ｂ）は、（ａ）のＣ−Ｃ’での断面を示す断面図である。
【図５】本発明における光ピックアップ装置の別のアクチュエータユニット搭載部分を拡大した平面図である。
【図６】本発明における光ピックアップ装置の別のアクチュエータユニット搭載部分を拡大した図であり、（ａ）はアクチュエータユニットの平面図であり、（ｂ）は、（ａ）のＤ−Ｄ’での断面を示す断面図であり、（ｃ）は、（ａ）のＤ−Ｄ’での別の断面を示す断面図である。
【図７】本発明における光ピックアップ装置の実施の一形態を示す図であり、図１（ｃ）の別の変形例を示すＡ−Ａ’での断面図である。
【図８】本発明における光ピックアップ装置のアクチュエータユニット搭載部分を拡大した図であり、図３の変形例である。（ａ）はアクチュエータユニットの平面図であり、（ｂ）は、（ａ）のＥ−Ｅ’での断面を示す断面図である。また（ｃ）は化粧板の平面図である。
【図９】従来の光ピックアップ装置を示す図であり、（ａ）は光ピックアップ装置の平面図であり、（ｂ）は裏面図である。
【図１０】従来の光ピックアップ装置の断面図であり、図７（ａ）のＦ−Ｆ’での断面を示す断面図である。
【図１１】従来の光ピックアップ装置を示す図であり、（ａ）はアクチュエータユニットの平面図であり、（ｂ）はアクチュエータユニットの側面図である。
【符号の説明】
【００７７】
１０      ハウジング
１１      保護カバー部（保護カバー）
１２      凸部（凸形状）
１３      凸部（凸形状）
１４      凸部（凸形状）
１５      凸部（凸形状）
１６      凸部（凸形状）
１７      接着剤注入穴
１８      接着剤溜り部
１９      化粧版
２０      アクチュエータユニット（レンズ駆動部）
２１      対物レンズ
２８      接点部分
２９      接点部分
６０      光ディスク（光情報記録媒体）
１１０    ハウジング
１２０    アクチュエータユニット
１２１    対物レンズ
１２７    レンズプロテクター
１３０    保護カバー
１６０    光ディスク
【図１】
2008027529.tif 000003
【図２】
2008027529.tif 000004
【図３】
2008027529.tif 000005
【図４】
2008027529.tif 000006
【図５】
2008027529.tif 000007
【図６】
2008027529.tif 000008
【図７】
2008027529.tif 000009
【図８】
2008027529.tif 000010
【図９】
2008027529.tif 000011
【図１０】
2008027529.tif 000012
【図１１】
2008027529.tif 000013